(57)【要約】【課題】  特色版の網点画像データを受けた場合に、これを複数の基本色からなる色版別の網点画像データに分版して、その網点形状を崩すことなく出力する。【解決手段】  制御装置１の多値変換部１３は、網点化部１２によって網点化された特色版の２値の網点画像データを、多階調を有する基本色からなる色版別の網点画像データに変換する。さらに、誤差拡散／二値変換部１５は、その多階調の色版別の網点画像データを、個々の網点の領域内にある画素についてのみ誤差拡散法を施すことで、２値の基本色からなる色版別の網点画像データに変換する。これにより、当該網点画像データにおいては、個々の網点の領域内において出力される画素が省かれることはあっても、その周辺領域において新たに出力される画素が追加されるといったことはなく、その網点画像を出力した場合においても、個々の網点形状が崩れるといったことが防止される。【選択図】      図２
2006135567.tif 000002
【特許請求の範囲】
【請求項１】
複数の基本色からなる色版別の網点画像データを送信する制御装置と、前記送信を受けて前記色版別の網点画像データに基づく網点画像を出力する画像出力装置と、から構成される画像出力システムであって、
前記制御装置は、
複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して、前記特色を色分解した際の当該基本色の構成割合に応じた多値の濃度数値データを割り振る多値変換手段と、
前記分版された各色版について、前記各画素に割り振られた濃度数値データと、予め設定された閾値データとを比較し、その比較結果に応じて、前記各画素に出力の有又は無を規定する２値の出力データを添付すると共に、前記出力の有を規定する出力データを添付した画素については、前記比較における前記濃度数値データと前記閾値データの差分の所定割合分を、また、前記出力の無を規定する出力データを添付した画素については、当該画素に対応する前記濃度数値データの所定割合分を、当該画素に隣接する他の画素の内、前記比較が未だ行われておらず且つ前記濃度数値データが割り振られた画素の濃度数値データに対して割り振る誤差拡散／二値変換処理手段と、を備え、
前記分版される各色版に対応して、前記出力の有を規定する出力データが添付された画素を出力することを特徴とする画像出力システム。
【請求項２】
複数の基本色からなる色版別の網点画像データを送信する制御装置と、前記送信を受けて前記色版別の網点画像データに基づく網点画像を出力する画像出力装置と、から構成される画像出力システムであって、
前記制御装置は、
複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して乱数データを割り振る乱数割振手段と、
前記分版された各色版について、前記各画素に割り振られた乱数データと、当該色版に対応する前記基本色の前記特色を色分解した際の構成割合に応じて予め設定された閾値データとを比較し、その比較結果に応じて、当該画素に出力の有又は無を規定する２値の出力データを添付する二値変換処理手段と、を備え、
前記分版される各色版に対応して、前記出力の有を規定する出力データが添付された画素を出力することを特徴とする画像出力システム。
【請求項３】
前記網率は、前記網点を構成する画素群の全体の画素数に対する前記出力の有を規定する出力データが付された画素数の割合であることを特徴とする請求項１又は請求項２に記載の画像出力システム。
【請求項４】
前記複数種類の基本色は、シアン、マゼンタ、イエロー及びブラック、又は、レッド、グリーン及びブルーの何れかであることを特徴とする請求項１乃至請求項３の何れか一項に記載の画像出力システム。
【請求項５】
複数の基本色からなる色版別の網点画像データを受けて、前記色版毎に出力の有を規定する所定の出力データが付された画素を所定の出力強度にて出力することで、前記色版別の網点画像データに基づく網点画像を出力する画像出力装置に対して、前記色版別の網点画像データを送信する制御装置であって、
複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して、前記特色を色分解した際の当該基本色の構成割合に応じた多値の濃度数値データを割り振る多値変換手段と、
前記分版された各色版について、前記各画素に割り振られた濃度数値データと、予め設定された閾値データとを比較し、その比較結果に応じて、前記各画素に出力の有又は無を規定する２値の出力データを添付すると共に、前記出力の有を規定する出力データを添付した画素については、前記比較における前記濃度数値データと前記閾値データの差分の所定割合分を、また、前記出力の無を規定する出力データを添付した画素については、当該画素に対応する前記濃度数値データの所定割合分を、当該画素に隣接する他の画素の内、前記比較が未だ行われておらず且つ前記濃度数値データが割り振られた画素の濃度数値データに対して割り振る誤差拡散／二値変換処理手段と、を備えたことを特徴とする制御装置。
【請求項６】
複数の基本色からなる色版別の網点画像データを受けて、前記色版毎に出力の有を規定する所定の出力データが付された画素を所定の出力強度にて出力することで、前記色版別の網点画像データに基づく網点画像を出力する画像出力装置に対して、前記色版別の網点画像データを送信する制御装置であって、
複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して乱数データを割り振る乱数割振手段と、
前記分版された各色版について、前記各画素に割り振られた乱数データと、当該色版に対応する前記基本色の前記特色を色分解した際の構成割合に応じて予め設定された閾値データとを比較し、その比較結果に応じて、当該画素に出力の有又は無を規定する２値の出力データを添付する二値変換処理手段と、を備えたことを特徴とする制御装置。
【請求項７】
前記網率は、前記網点を構成する画素群の全体の画素数に対する前記出力の有を規定する出力データが付された画素数の割合であることを特徴とする請求項５又は請求項６に記載の制御装置。
【請求項８】
前記複数種類の基本色は、シアン、マゼンタ、イエロー及びブラック、又は、レッド、グリーン及びブルーの何れかであることを特徴とする請求項５乃至請求項７の何れか一項に記載の制御装置。
【請求項９】
複数の基本色からなる色版別の網点画像データを受けて、前記色版毎に出力の有を規定する所定の出力データが付された画素を所定の出力強度にて出力することで、前記色版別の網点画像データに基づく網点画像を出力する画像出力装置に対して、前記色版別の網点画像データを送信する制御装置における画像出力方法であって、
複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して、前記特色を色分解した際の当該基本色の構成割合に応じた多値の濃度数値データを割り振る多値変換ステップと、
前記分版された各色版について、前記各画素に割り振られた濃度数値データと、予め設定された閾値データとを比較し、その比較結果に応じて、前記各画素に出力の有又は無を規定する２値の出力データを添付すると共に、前記出力の有を規定する出力データを添付した画素については、前記比較における前記濃度数値データと前記閾値データの差分の所定割合分を、また、前記出力の無を規定する出力データを添付した画素については、当該画素に対応する前記濃度数値データの所定割合分を、当該画素に隣接する他の画素の内、前記比較が未だ行われておらず且つ前記濃度数値データが割り振られた画素の濃度数値データに対して割り振る誤差拡散／二値変換処理ステップと、を含むことを特徴とする画像出力方法。
【請求項１０】
複数の基本色からなる色版別の網点画像データを受けて、前記色版毎に出力の有を規定する所定の出力データが付された画素を所定の出力強度にて出力することで、前記色版別の網点画像データに基づく網点画像を出力する画像出力装置に対して、前記色版別の網点画像データを送信する制御装置における画像出力方法であって、
複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して乱数データを割り振る乱数割振ステップと、
前記分版された各色版について、前記各画素に割り振られた乱数データと、当該色版に対応する前記基本色の前記特色を色分解した際の構成割合に応じて予め設定された閾値データとを比較し、その比較結果に応じて、当該画素に出力の有又は無を規定する２値の出力データを添付する二値変換処理ステップと、を含むことを特徴とする画像出力方法。
【請求項１１】
前記網率は、前記網点を構成する画素群の全体の画素数に対する前記出力の有を規定する出力データが付された画素数の割合であることを特徴とする請求項９又は請求項１０に記載の画像出力方法。
【請求項１２】
前記複数種類の基本色は、シアン、マゼンタ、イエロー及びブラック、又は、レッド、グリーン及びブルーの何れかであることを特徴とする請求項９乃至請求項１１の何れか一項に記載の画像出力方法。
【請求項１３】
請求項９乃至請求項１２の何れか一項に記載の画像出力方法を前記制御装置のコンピュータにおいて実行させることを特徴とするプログラム。
【請求項１４】
請求項１３に記載のプログラムを前記制御装置のコンピュータによって読み出し可能に記憶したことを特徴とする記憶媒体。
【発明の詳細な説明】
【技術分野】
【０００１】
本発明は、２値化された特色版の網点画像データを、基本色からなる色版別の網点画像データに分版して、その網点形状を崩すことなく出力するための網点化処理の手法に関する。
【背景技術】
【０００２】
近年、印刷産業では、ＤＴＰ（Ｄｅｓｋ  Ｔｏｐ  Ｐｕｂｌｉｓｈｉｎｇ）といったデジタル編集装置からＣＴＰ（Ｃｏｍｐｕｔｅｒ  ｔｏ  Ｐｌａｔｅ）と呼ばれるデジタルで直接印刷用の原版を作成する装置に出力する工程が増えてきている。因みに、このようなＣＴＰを対象とした技術としては、例えば特開平１１−１２５８９７号公報に記載されるように、コンピュータ等のデジタル情報を、高密度エネルギー光を使用して直接書き込みのできる平版印刷版原版、及び、この印刷版原版を処理して得られる印刷刷版が、従来からのＰＳ版（ＰｒｅＳｅｎｓｉｔｉｚｅｄ  Ｐｌａｔｅ）印刷刷版と同等の印刷特性を持つ印刷刷版である印刷刷版作成方法が提案されている（特許文献１参照）。
【０００３】
しかしながら、このように直接印刷用の原版を作成した場合には、ＤＴＰのデータ作成ミスにより間違った印刷物を大量に作成してしまうといった印刷事故が発生する可能性があり、その対策としてカラーの網点デジタルプルーフシステムといったものが重要視されるようになってきた。このような網点デジタルプルーフとしては、例えば特開平６−２２２５７１号公報に記載されるようにインキシートを用いて印刷本紙に転写する方法や（例えば、特許文献２参照）、特開平１１−２０５６２２号公報に記載されるように銀塩カラー感光材料にＲ（レッド）、Ｇ（グリーン）、Ｂ（ブルー）のレーザー光を照射して画像を形成する手法などがある（例えば、特許文献３参照）。後者においては、近年、Ｒ、Ｇ、Ｂのレーザー光の光量を調整することで、特色を出力する手法が実用化されている。
【０００４】
【特許文献１】特開平１１−１２５８９７号公報（段落〔００２〕‐〔００３〕、〔００１６〕‐〔０１０８〕）
【特許文献２】特開平６−２２２５７１号公報（段落〔０００８〕‐〔００２１〕）
【特許文献３】特開平１１−２０５６２２号公報（段落〔００２０〕‐〔００８８〕、第１図乃至第１９図）
【発明の開示】
【発明が解決しようとする課題】
【０００５】
しかしながら、このようにレーザー光の光量を調整することで特色を出力する場合には、任意の色を設定することができる反面、予めその特色に対応した露光装置を用意する必要があり、旧式のシステムや、インキシートを用いるタイプには使用できないなどの問題があった。
【０００６】
これらの解決策として、予め、ＲＩＰ加工時に基本色に分解する手法などが採られているが、Ｃ（シアン）、Ｍ（マゼンタ）、Ｙ（イエロー）、Ｋ（ブラック）の別々の網点の重なりとして表現するため、モアレやムラが実際の印刷物とは違ってしまい、網点プルーフであるメリットが半減してしまっていた。
【０００７】
本発明は、上述した課題を鑑みてなされたものであり、その目的とするところは、２値化された特色版の網点画像データを、多階調を有する基本色からなる色版別の網点画像データに変換して、さらに、その多階調の色版別の網点画像データを、網点の領域内で誤差拡散法或いは閾値法を用いて、２値の基本色からなる色版別の網点画像データに変換することで、２値化された特色版の網点画像データを基本色のみからなる色版別の網点画像データに分版して、その網点形状を崩すことなく出力することが可能な画像出力システム、制御装置、画像出力方法、プログラム及びそのプログラムを記憶した記憶媒体を提供することにある。
【課題を解決するための手段】
【０００８】
上記課題を解決するために、請求項１に記載の発明は、複数の基本色からなる色版別の網点画像データを送信する制御装置と、前記送信を受けて前記色版別の網点画像データに基づく網点画像を出力する画像出力装置と、から構成される画像出力システムであって、前記制御装置は、複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して、前記特色を色分解した際の当該基本色の構成割合に応じた多値の濃度数値データを割り振る多値変換手段と、前記分版された各色版について、前記各画素に割り振られた濃度数値データと、予め設定された閾値データとを比較し、その比較結果に応じて、前記各画素に出力の有又は無を規定する２値の出力データを添付すると共に、前記出力の有を規定する出力データを添付した画素については、前記比較における前記濃度数値データと前記閾値データの差分の所定割合分を、また、前記出力の無を規定する出力データを添付した画素については、当該画素に対応する前記濃度数値データの所定割合分を、当該画素に隣接する他の画素の内、前記比較が未だ行われておらず且つ前記濃度数値データが割り振られた画素の濃度数値データに対して割り振る誤差拡散／二値変換処理手段と、を備え、前記分版される各色版に対応して、前記出力の有を規定する出力データが添付された画素を出力することを特徴とする。
【０００９】
上記課題を解決するために、請求項２に記載の発明は、複数の基本色からなる色版別の網点画像データを送信する制御装置と、前記送信を受けて前記色版別の網点画像データに基づく網点画像を出力する画像出力装置と、から構成される画像出力システムであって、前記制御装置は、複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して乱数データを割り振る乱数割振手段と、前記分版された各色版について、前記各画素に割り振られた乱数データと、当該色版に対応する前記基本色の前記特色を色分解した際の構成割合に応じて予め設定された閾値データとを比較し、その比較結果に応じて、当該画素に出力の有又は無を規定する２値の出力データを添付する二値変換処理手段と、を備え、前記分版される各色版に対応して、前記出力の有を規定する出力データが添付された画素を出力することを特徴とする。
【００１０】
上記課題を解決するために、請求項５に記載の発明は、複数の基本色からなる色版別の網点画像データを受けて、前記色版毎に出力の有を規定する所定の出力データが付された画素を所定の出力強度にて出力することで、前記色版別の網点画像データに基づく網点画像を出力する画像出力装置に対して、前記色版別の網点画像データを送信する制御装置であって、複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して、前記特色を色分解した際の当該基本色の構成割合に応じた多値の濃度数値データを割り振る多値変換手段と、前記分版された各色版について、前記各画素に割り振られた濃度数値データと、予め設定された閾値データとを比較し、その比較結果に応じて、前記各画素に出力の有又は無を規定する２値の出力データを添付すると共に、前記出力の有を規定する出力データを添付した画素については、前記比較における前記濃度数値データと前記閾値データの差分の所定割合分を、また、前記出力の無を規定する出力データを添付した画素については、当該画素に対応する前記濃度数値データの所定割合分を、当該画素に隣接する他の画素の内、前記比較が未だ行われておらず且つ前記濃度数値データが割り振られた画素の濃度数値データに対して割り振る誤差拡散／二値変換処理手段と、を備えたことを特徴とする。
【００１１】
上記課題を解決するために、請求項６に記載の発明は、複数の基本色からなる色版別の網点画像データを受けて、前記色版毎に出力の有を規定する所定の出力データが付された画素を所定の出力強度にて出力することで、前記色版別の網点画像データに基づく網点画像を出力する画像出力装置に対して、前記色版別の網点画像データを送信する制御装置であって、複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して乱数データを割り振る乱数割振手段と、前記分版された各色版について、前記各画素に割り振られた乱数データと、当該色版に対応する前記基本色の前記特色を色分解した際の構成割合に応じて予め設定された閾値データとを比較し、その比較結果に応じて、当該画素に出力の有又は無を規定する２値の出力データを添付する二値変換処理手段と、を備えたことを特徴とする。
【００１２】
上記課題を解決するために、請求項９に記載の発明は、複数の基本色からなる色版別の網点画像データを受けて、前記色版毎に出力の有を規定する所定の出力データが付された画素を所定の出力強度にて出力することで、前記色版別の網点画像データに基づく網点画像を出力する画像出力装置に対して、前記色版別の網点画像データを送信する制御装置における画像出力方法であって、複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して、前記特色を色分解した際の当該基本色の構成割合に応じた多値の濃度数値データを割り振る多値変換ステップと、前記分版された各色版について、前記各画素に割り振られた濃度数値データと、予め設定された閾値データとを比較し、その比較結果に応じて、前記各画素に出力の有又は無を規定する２値の出力データを添付すると共に、前記出力の有を規定する出力データを添付した画素については、前記比較における前記濃度数値データと前記閾値データの差分の所定割合分を、また、前記出力の無を規定する出力データを添付した画素については、当該画素に対応する前記濃度数値データの所定割合分を、当該画素に隣接する他の画素の内、前記比較が未だ行われておらず且つ前記濃度数値データが割り振られた画素の濃度数値データに対して割り振る誤差拡散／二値変換処理ステップと、を含むことを特徴とする。
【００１３】
上記課題を解決するために、請求項１０に記載の発明は、複数の基本色からなる色版別の網点画像データを受けて、前記色版毎に出力の有を規定する所定の出力データが付された画素を所定の出力強度にて出力することで、前記色版別の網点画像データに基づく網点画像を出力する画像出力装置に対して、前記色版別の網点画像データを送信する制御装置における画像出力方法であって、複数種類の基本色と特色からなる各色版に対応して、個々の網点を構成する画素群毎に出力の有又は無を規定する２値の出力データが各画素に付された網点画像データを受けて、前記特色版の前記出力の有を規定する出力データが付された各画素について、当該画素に対応する前記特色版を分版するための複数種類の基本色からなる各色版の画素に対して乱数データを割り振る乱数割振ステップと、前記分版された各色版について、前記各画素に割り振られた乱数データと、当該色版に対応する前記基本色の前記特色を色分解した際の構成割合に応じて予め設定された閾値データとを比較し、その比較結果に応じて、当該画素に出力の有又は無を規定する２値の出力データを添付する二値変換処理ステップと、を含むことを特徴とする。
【００１４】
上記課題を解決するために、請求項１３に記載の発明は、請求項９乃至請求項１２の何れか一項に記載の画像出力方法を前記制御装置のコンピュータにおいて実行させることを特徴とする。
【００１５】
上記課題を解決するために、請求項１４に記載の発明は、請求項１３に記載のプログラムを前記制御装置のコンピュータによって読み出し可能に記憶したことを特徴とする。
【発明の効果】
【００１６】
本発明に係る画像出力システム、制御装置、画像出力方法、プログラム及びそのプログラムを記憶した記憶媒体によれば、２値化された特色版の網点画像データを、多階調を有する基本色からなる色版別の網点画像データに変換して、さらに、その多階調の色版別の網点画像データを、網点の領域内で誤差拡散法或いは閾値法を用いて、２値の基本色からなる色版別の網点画像データに変換するので、２値化された特色版の網点画像データであっても、これを基本色のみからなる色版別の網点画像データに分版して、その網点形状を崩すことなく出力することができる。
【発明を実施するための最良の形態】
【００１７】
以下、本発明に係る画像出力システム、制御装置、画像出力方法、プログラム及びそのプログラムを記憶した記憶媒体の好適な一実施形態について、図面を参照しながら具体的に説明する。
【００１８】
［画像出力システム］
まず、本実施形態における画像出力システムのシステム構成及び概略動作について、図１を参照しつつ説明する。
【００１９】
＜システム構成＞
図１に示すように、当該画像出力システムは、画像データ編集端末３やＲＩＰ（Ｒａｓｔｅｒ・Ｉｍａｇｅ・Ｐｒｏｃｅｓｓｏｒ）４から送信された画像データを解析加工して、当該画像データがラスター化されていない場合にこれをラスター化して、また、当該画像データが既にラスター化されているが未だ網点化されていない場合にこれを網点化して、当該網点画像データを出力指示信号と共に画像出力装置であるＤＣＰ作成装置２に送信する制御装置１と、この制御装置１から送信された出力指示信号を受けて、送信された網点画像データに基づく網点画像を出力するＤＣＰ作成装置２と、から構成されており、これらは、互いにネットワークＮを介して接続されている。
【００２０】
尚、制御装置１は、コンピュータ本体、キーボード等の入力部、モニタ等の表示部本体には、後述する画像出力処理を実行するための所定のプログラムが組み込まれている。また、画像データ編集端末３は、コンピュータ本体、キーボード等の入力部、モニタ等の表示部の他、イメージスキャナ等の画像入力機器を備えている。
【００２１】
＜概略動作＞
このような構成において、制御装置１は、画像データ編集端末３やＲＩＰ４から送信された画像データを解析することで、その種別を判断する。ここで、画像データ編集端末３から送信される画像データの種別には、ベクトルデータやラスターデータ、ビットマップデータがあり、ＲＩＰ４から送信される画像データの種別には、ラスターデータやビットマップデータがある。従って、制御装置１は、上述の判断結果を受けて、当該画像データが未だラスター化されていないベクトルデータである場合に、これにＲＩＰ加工を施すことでラスターデータを生成し、さらに、当該ラスターデータをＤＣＰ作成装置２の出力解像度にあわせたビットマップデータに変換する。また、当該画像データが既にラスター化されているが未だ網点化されていないラスターデータである場合に、当該ラスターデータをＤＣＰ作成装置２の出力解像度にあわせたビットマップデータに変換する。この際、制御装置１は、ラスターデータを所定の出力条件、具体的には、網点の特性を示す網点の形状、角度及び線数を規定する条件に従って網点化した上で、当該網点画像データをＤＣＰ作成装置２に送信する。因みに、画像データ編集端末３やＲＩＰ４から送信された画像データが既にラスター化され網点化されたビットマップデータである場合には、制御装置１は、上述した処理を行うことはない。
【００２２】
これを受けたＤＣＰ作成装置２は、その網点画像データに基づいて、複数の光源より波長の異なる光を発することにより感光材料を露光して、当該感光材料上に基本色からなる各色の網点を形成することで網点画像を出力する。これによりカラープルーフが作成される。
【００２３】
［制御装置］
次に、当該画像出力システムを構成する制御装置１の詳細構成及び詳細動作について、図２、図４乃至図９、図１１乃至図１４を参照しつつ、図３及び図１０に示すフローチャートの流れに沿って説明する。
【実施例１】
【００２４】
＜詳細構成＞
図２に示すように、制御装置１は、画像データ編集端末３やＲＩＰ４から送信された画像データを解析して、当該画像データが未だラスター化されていないベクトルデータである場合に、これにＲＩＰ加工を施すことで、色版別のラスターデータ、より詳細には、当該ラスター画像データに基づく画像を描画するために配列された画素の各々に対して当該画像の濃度に応じた所定の濃度数値データが割り振された色版別のラスター画像データを生成する画像データ解析加工部１０と、各色版に対応する網点基準データ、より詳細には、上述したラスター画像データに基づく画像を網点群にて形成するために、当該網点の少なくとも１つを描画するべく配列された画素の各々に対して当該網点の特性、具体的には、当該網点の形状、角度及び線数に応じた網点特性値（所定の数値データであり、以下、比較数値データと称する）が割り振られた色版別の網点基準データを予め記憶する網点基準データ記憶部１１と、画像データ解析加工部１０から出力された画像データが未だ網点化されていないラスターデータである場合に、この網点基準データ記憶部１１に記憶された色版別の網点基準データに基づいて、当該ラスターデータを網点化、具体的には、ラスター画像データの濃度数値データの各々の値と網点基準データの比較数値データの各々の値とを比較して、その比較結果に基づいてラスター画像データの画素の各々に対して出力の有／無を規定する“０”と“１”の２値の出力データを割り振ることで、当該２値の出力データが割り振られた色版別の網点画像データを生成する網点化部１２と、この網点化部１２から出力された色版別の網点画像データの内、少なくとも特色版について、上述した出力の有を規定する“１”の出力データが割り振られた各画素について、当該画素に対応する当該特色版を分版するための基本色からなる各色版の画素に対して、当該特色を色分解した際の各基本色の構成割合に応じた多値の濃度数値データを割り振る多値変換部１３と、この多値変換部１３によって分版された基本色からなる各色版について、その各画素に割り振られた濃度数値データと、予め出力閾値記憶部１４に記憶された閾値データとを比較して、その比較結果に応じて、各画素に出力の有又は無を規定する２値の出力データを添付すると共に、出力の有を規定する出力データを添付した画素については、当該比較における上述した濃度数値データと閾値データの差分の所定割合分を、また、出力の無を規定する出力データを添付した画素については、当該画素に対応する上述した濃度数値データの所定割合分を、当該画素に隣接する他の画素の内、上述した比較が未だ行われておらず且つ上述した濃度数値データが割り振られた画素の濃度数値データに対して所定割合分ずつ割り振る誤差拡散処理を行う誤差拡散／二値変換部１５と、この誤差拡散／二値変換部１５によって二値化された上述した特色版についての基本色からなる網点画像データと、上述した網点化部１２から出力された基本色からなる網点画像データの組み合わせを出力指示信号と共に送信する送信部１６と、を有している。因みに、上述したように、画像データ編集端末３やＲＩＰ４から送信された画像データが既にラスター化され網点化されたビットマップデータである場合には、制御装置１の画像データ解析加工部１０や網点化部１２は、それぞれ上述した処理を行うことはない。
【００２５】
＜詳細動作＞
図３に示すように、このような構成において、画像データ編集端末３やＲＩＰ４から送信された画像データが制御装置１に入力されると（Ｓ０１）、画像データ解析加工部１０は、その画像データを解析して、当該画像データが未だラスター化されていないベクトルデータである場合に、これにＲＩＰ加工を施すことで、色版別のラスター画像データを生成する。より詳細には、例えば図４（Ａ）に示すように、当該画像データに基づく画像を描画するために配列された画素の各々に対して当該画像の濃度に応じた所定の濃度数値データを割り振った色版別のラスター画像データを生成する（Ｓ０２）。因みに、ＲＩＰ４から送信される画像データは、ラスターデータ又はビットマップデータの何れかになっているため、画像データ解析加工部１０がこれらのデータに対してＲＩＰ加工を施すことはない。
【００２６】
尚、画像データ解析加工部１０は、メモリ等の記憶手段とＣＰＵ等の演算手段からなり、記憶手段に記憶される処理プログラムに従って、演算手段が演算処理を行うことで、上述した画像データの解析及び加工を行い、色版毎のラスター画像データを生成する。
【００２７】
これを受けて、網点化部１２は、画像データ解析加工部１０から出力された画像データが未だ網点化されていないラスターデータである場合に、当該ラスター画像データを、網点基準データ記憶部１１に予め記憶された色版別の網点基準データ、例えば図４（Ｂ）に示すように、網点の少なくとも１つを描画するべく画素の各々に対して所定の比較数値データが割り振られた色版別の網点基準データに基づいて網点化する。具体的には、ラスター画像データの濃度数値データの各々の値と網点基準データの比較数値データの各々の値とを比較して、その比較結果に基づいてラスター画像データの画素の各々に対して出力の有／無を規定する“０（出力無し）”又は“１（出力有り）”の２値の出力データを割り振り、例えば図４（Ｃ）に示すように、当該２値の出力データが割り振られた色版別の網点画像データを生成する（Ｓ０３）。
【００２８】
尚、網点基準データ記憶部１１は、メモリ等の記憶手段からなる。また、網点化部１２は、メモリ等の記憶手段とＣＰＵ等の演算手段からなり、記憶手段に記憶される処理プログラムに従って、演算手段が演算処理を行うことで、上述したラスター画像データの網点化処理を行い、色版別の網点画像データを生成する。
【００２９】
これを受けて、多値変換部１３は、網点化部１２から出力された色版別の網点画像データの内、少なくとも特色版について、例えば図５に示すように、上述した出力の有を規定する“１”の出力データが割り振られた各画素について、当該画素に対応する当該特色版を分版するための基本色からなる各色版の画素に対して、当該特色を色分解した際の各基本色の構成割合に応じた多値の濃度数値データを割り振り、当該多値の濃度数値データが割り振られた色版別の網点画像データを生成する（多値変換ステップ；Ｓ０４）。尚、上述した特色の識別情報（色名称等の情報）は、当該画像データに添付されており、当該特色を色分解した際の各基本色の構成割合は、多値変換部１３の不図示の記憶部に、例えば図６に示すようなデータベースとして予め設定されている。
【００３０】
尚、多値変換部１３は、本発明の「多値変換手段」に対応するものであって、メモリ等の記憶手段とＣＰＵ等の演算手段からなり、記憶手段に記憶される処理プログラムに従って、演算手段が演算処理を行うことで、上述した網点画像データの２値化処理を行い、濃度数値データが割り振られた多値の網点画像データを生成する。
【００３１】
誤差拡散／二値変換部１５は、この多値変換部１３によって分版された基本色からなる各色版について、その各画素に割り振られた濃度数値データと、予め出力閾値記憶部１４に記憶された閾値データとを比較し（Ｓ０５）、その比較結果に応じて、各画素に出力の有又は無を規定する２値の出力データを添付すると共に、出力の有を規定する出力データを添付した画素については、当該比較における上述した濃度数値データと閾値データの差分の所定割合分を、また、出力の無を規定する出力データを添付した画素については、当該画素に対応する上述した濃度数値データの所定割合分を、当該画素に隣接する他の画素の内、上述した比較が未だ行われておらず且つ上述した濃度数値データが割り振られた画素の濃度数値データに対して所定割合分ずつ割り振る誤差拡散処理を行う（誤差拡散／二値変換処理ステップ；Ｓ０６）。
【００３２】
具体的には、図７（Ａ）〜（Ｇ）に示すように、誤差拡散／二値変換部１５は、多値変換部１３によって分版された、例えば図５に示す“Ｍ”版について、その各画素に割り振られた濃度数値データと、予め出力閾値記憶部１４に記憶された閾値データ（尚、本例においては、これを“１００”とする）とを、図に示す矢印方向に沿って順次比較し、その比較結果に応じて、各画素に出力の有又は無を規定する２値の出力データを添付すると共に、この際、出力の有を規定する出力データを添付した画素については、当該比較における上述した濃度数値データと閾値データの差分の所定割合分を、また、出力の無を規定する出力データを添付した画素については、当該画素に対応する上述した濃度数値データの所定割合分（濃度数値データを隣接する画素数で割ったもの）を、当該画素の上下方向に隣接する他の画素の内、上述した比較を未だ行っておらず且つ上述した多値の濃度数値データが割り振られた画素の濃度数値データに対して所定割合分ずつ割り振る。因みに、図７（Ｇ）に示す最右列の画素においては、出力の無を規定する“０”の出力データを添付することになるが、当該画素の上下方向に隣接する他の画素が無いため、その濃度数値データ（図における“６９”）を割り振らないこととする。但し、このような場合には、例えば隣接する斜め下の画素の濃度数値データ（図における“６９”）に対して、その濃度数値データを割り振ることにしたり、閾値データを半分の値とした上で上述した比較を行うことにしても良い。このような誤差拡散処理を施した結果、図７（Ａ）に示す多値の網点画像データは、図７（Ｈ）に示す二値の網点画像データに変換される。
【００３３】
このように、誤差拡散／二値変換部１５は、各画素の濃度数値データを、当該画素に隣接する他の画素の内、上述した比較が未だ行われておらず且つ上述した多値の濃度数値データが割り振られた画素の濃度数値データに対してのみ割り振るので、上述した誤差拡散処理は、個々の網点の領域内にある画素群に対してのみ施されることになる。
【００３４】
誤差拡散／二値変換部１５は、その他の色版についても同様に、上述した誤差拡散処理を施す。その結果、図５に示した基本色からなる多値の網点画像データは、各々、図８の左列に示す二値の網点画像データに書き替えられ、さらに、後述するＤＣＰ作成装置２によって出力される当該二値の網点画像データの網点形状は、各々、同図の右列にハッチングで示す形状となる。このように、当該網点においては、その領域内において出力される画素が省かれることはあっても、その周辺領域において新たに出力される画素が追加されるといったことはないことから、その網点形状が崩れるといったことが防止される。
【００３５】
尚、出力閾値記憶部１４及び誤差拡散／二値変換部１５で、本発明の「誤差拡散／二値変換処理手段」を構成する。ここで、出力閾値記憶部１４は、メモリ等の記憶手段からなる。また、誤差拡散／二値変換部１５は、メモリ等の記憶手段とＣＰＵ等の演算手段からなり、記憶手段に記憶される処理プログラムに従って、演算手段が演算処理を行うことで、上述した濃度数値データと閾値データとの比較処理や、上述した多値の網点画像データの二値化処理を行う。
【００３６】
これを受けて、送信部１６は、この誤差拡散／二値変換部１５によって２値化された上述した特色版を分版した基本色からなる網点画像データと、上述した網点化部１２から出力された基本色からなる網点画像データを組み合わせて出力指示信号と共にＤＣＰ作成装置２へ送信する（Ｓ０７）。
【００３７】
尚、送信部１６は、メモリ等の記憶手段とＣＰＵ等の演算手段からなり、記憶手段に記憶される処理プログラムに従って、演算手段が演算処理を行うことで、上述した色版別の網点画像データと出力指示信号の送信処理を行う。
【実施例２】
【００３８】
ここで、上述した制御装置１の他の実施例である制御装置１ａについて説明する。尚、当該制御装置１ａは、図２に示す制御装置１における多値変換部１３及び誤差拡散／二値変換部１５を、後述する乱数発生部１８、乱数割振部１９、比較／二値変換部１７に置き換えたものである。よって、以下においては、上述した〔実施例１〕と同様の構成要素については、同様の符号を付すこととし、その説明を省略することにする。
【００３９】
＜詳細構成＞
図９に示すように、制御装置１ａは、網点化部１２から出力された色版別の網点画像データの内、少なくとも特色版について、上述した出力の有を規定する“１”の出力データが割り振られた各画素について、当該画素に対応する当該特色版を分版するための基本色からなる各色版の画素に対して、乱数発生部１８により発生された乱数データを割り振る乱数割振部１９と、この基本色からなる各色版について、その各画素に割り振られた乱数データと、当該色版に対応する基本色の上述した特色を色分解した際の構成割合に応じて予め出力閾値記憶部１４に記憶された閾値データとを比較して、その比較結果に応じて、当該画素に出力の有又は無を規定する２値の出力データを添付する比較／二値変換部１７と、この比較／二値変換部１７によって二値化された上述した特色版についての基本色からなる網点画像データと、上述した網点化部１２から出力された基本色からなる網点画像データの組み合わせを出力指示信号と共に送信する送信部１６と、を有している。因みに、上述したように、画像データ編集端末３やＲＩＰ４から送信された画像データが既にラスター化され網点化されたビットマップデータである場合には、制御装置１の画像データ解析加工部１０や網点化部１２は、それぞれ上述した処理を行うことはない。
【００４０】
＜詳細動作＞
図１０に示すように（図３のＳ０３から引き続いて）、このような構成において、乱数割振部１９は、網点化部１２から出力された色版別の網点画像データの内、少なくとも特色版について、例えば図１１に示すように、上述した出力の有を規定する“１”の出力データが割り振られた各画素について、当該画素に対応する当該特色版を分版するための基本色からなる各色版の画素に対して、乱数発生部１８により発生された乱数データを割り振り、当該乱数データが割り振られた色版別の網点画像データを生成する（乱数割振ステップ；Ｓ０８）。
【００４１】
このように、乱数割振部１９は、出力の有を規定する“１”の出力データが割り振られた各画素についてのみ、当該画素に対応する上述した特色版を分版するための基本色からなる各色版の画素に対して、乱数データを割り振るので、後述する比較／二値変換部１７による二値化処理は、各網点の領域内についてのみ施されることになる。
【００４２】
尚、乱数発生部１８及び乱数割振部１９で、本発明の「乱数割振手段」を構成する。ここで、乱数発生部１８は、メモリ等の記憶手段とＣＰＵ等の演算手段からなり、記憶手段に記憶される処理プログラムに従って、演算手段が演算処理を行うことで、上述した乱数データの発生処理を行う。また、乱数割振部１９は、メモリ等の記憶手段とＣＰＵ等の演算手段からなり、記憶手段に記憶される処理プログラムに従って、演算手段が演算処理を行うことで、上述した乱数データの割振り処理を行う。
【００４３】
比較／二値変換部１７は、例えば図１２の左列に示すように、この乱数割振部１９によって乱数データが割り振られた基本色からなる各色版について、その各画素に割り振られた乱数データと、当該色版に対応する基本色の上述した特色を色分解した際の構成割合に応じた閾値データとを比較する（Ｓ０９）。尚、上述した特色の識別情報（色名称等の情報）は、当該画像データに添付されており、さらに、当該特色を色分解した際の各基本色の構成割合に応じた閾値データは、上述した出力閾値記憶部１４に、例えば図１３に示すようなデータベースとして予め設定されている。ここで、この各基本色の構成割合に応じた閾値データは、各々、“１００”と各基本色の構成割合の差を採ったものとなっている（図６を参照のこと）。
【００４４】
比較／二値変換部１７は、さらに、その比較結果に応じて、具体的には、例えば各画素に割り振られた乱数データが閾値データ未満である場合には、出力の無を規定する“０”の出力データを、また、各画素に割り振られた乱数データが閾値データ以上である場合には、出力の有を規定する“１”の出力データを添付する（二値変換処理ステップ；Ｓ１０）。
【００４５】
その結果、図１１の右列に示した“乱数データが割り振られた”網点画像データは、図１２の右列に示す二値の網点画像データに書き替えられ、さらに、後述するＤＣＰ作成装置２によって出力される当該二値の網点画像データの網点形状は、各々、図１４にハッチングで示す形状となる。このように、当該網点においては、その領域内において出力される画素が省かれることはあっても、その周辺領域において新たに出力される画素が追加されるといったことはないことから、その網点形状が崩れるといったことが防止される。
【００４６】
尚、出力閾値記憶部１４及び比較／二値変換部１７で、本発明の「二値変換処理手段」を構成する。ここで、出力閾値記憶部１４は、メモリ等の記憶手段からなる。また、比較／二値変換部１７は、メモリ等の記憶手段とＣＰＵ等の演算手段からなり、記憶手段に記憶される処理プログラムに従って、演算手段が演算処理を行うことで、上述した乱数データと閾値データとの比較処理や、その比較結果に基づく二値化処理を行う。
【００４７】
これを受けて、送信部１６は、この比較／二値変換部１７によって２値化された上述した特色版を分版した基本色からなる網点画像データと、上述した網点化部１２から出力された基本色からなる網点画像データを組み合わせて出力指示信号と共にＤＣＰ作成装置２へ送信する（Ｓ１１）。
【００４８】
［ＤＣＰ作成装置］
次に、当該画像出力システムを構成するＤＣＰ作成装置２の詳細構成及び詳細動作について、図１５及び図１６を参照しつつ説明する。
【００４９】
＜詳細構成＞
図１５に示すように、ＤＣＰ作成装置２は、主に、感光材料上に画像を露光するための露光部２０と、露光された感光材料を現像処理するための処理部２１とから構成されている。
【００５０】
露光部２０は、外部に開閉可能な上面パネル２２及び前面パネル２３を有し、作業者は、当該露光部２０のメンテナンスをこれらのパネルを開いて行う。また、ロールセット部２４は、ロール状に巻回された感光材料を収容したカートリッジを装填する部分であり、装置本体の上部に設けられている。尚、カートリッジの装填は、給紙カバー２５を開閉して行う。因みに、本実施形態のロールセット部２４は単数であるが、複数設けられても良い。
【００５１】
ロールセット部２４の手前側には、タッチパネル２７と液晶パネル２６から成る操作部が設けられている。尚、タッチパネル２７は、液晶パネル２６の上面に重ねて設けられている。液晶パネル２６には、後述する制御部１００の制御により、作業者に入力を求める入力指示情報や装置の状態を示す装置状態情報等を表示する。一方、タッチパネル２７は、作業者が各種情報を入力する手段であり、作業者は、液晶パネル２６に表示される入力指示画面に応じて各種情報の入力を行う。タッチパネル２７からの入力に応じた各種情報は、後述するＲＡＭ１０２に記憶される。尚、操作部の構成は、これに限られず、例えば、ＬＥＤ等から成る表示手段と入力キー等から成る入力手段により構成しても良い。
【００５２】
処理部２１は、外面に開閉可能な上面パネル２８及び補給パネル２９を有し、通常のメンテナンスは上面パネル２８を開いて行い、処理液の補充等は、補給パネル２９を開いて行う。また、排紙部３０は、現像処理が終了した感光材料をストックする。
【００５３】
図１６に、当該ＤＣＰ作成装置２の制御構成を示す。図１６に示すように、当該ＤＣＰ作成装置２は、全体の制御を行う制御部１００を有し、当該制御部１００は、ＣＰＵ１０１、ＲＡＭ１０２及びＲＯＭ１０３とから構成されている。当該制御部１００は、Ｉ／Ｏポート１０４、１０５を介して、検出系を構成するセンサ類１０６及び駆動系を構成するアクチュエータ群１０７に接続され、センサ類１０６からの情報に基づいてアクチュエータ群１０７を制御する。
【００５４】
また、操作部に関しては、液晶パネル２６をドライバＤ２０により制御し、これにＤＣＰ作成装置の２の運転状態等を表示する。また、タッチパネル２７からの入力に応じた情報は、Ａ／Ｄ変換部１２０によりデジタル情報としてＣＰＵ１０１に送信される構成となっている。
【００５５】
さらに、当該ＤＣＰ作成装置２は、制御装置１から送信された色版別の網点画像データと出力指示信号を受信する画像データＩ／Ｆ部２０１を備えている。尚、上述したように画像データＩ／Ｆ部２０１は、制御装置１の送信部１９から基本色からなる色版別の書替網点画像データを受けて、この色版別の網点画像データを、例えば各色１０本の走査線毎の露光用フォーマットに変換し、データバッファ２０４に蓄積する。このフォーマット変換は、同時に各色１０本の走査線を走査する場合、ラスターイメージフォーマットであるビットマップデータの画像データを並べ替え、１０ライン並列に読み出すことにより行う。そして、データバッファ２０４に１枚分のデジタル網点画像データを蓄積した後、以下のようにして、全色同時露光、即ち、マルチ露光を行う。
【００５６】
この際、画素クロック生成部２０３は、ＰＬＬ（ＰＨＡＳＥ  ＬＯＣＫ  ＬＯＯＰ)回路２０２からの出力に同期させて、データバッファ２０４からデジタル網点画像データを読み出すタイミングを規定する画素クロックを生成する。そして、ＬＵＴ部２０５は、この画素クロックにてデータバッファ２０４からデジタル網点画像データを読み出す。
【００５７】
ＬＵＴ部２０５は、読み出した露光用フォーマットの各色のデジタル網点画像データを、不図示の記憶部に予め記憶されたカラーコレクションテーブルに従って、例えばＢｕｌｅ、Ｒｅｄ、Ｇｒｅｅｎの露光強度データに変換する。その際、画素毎に、Ｃ、Ｍ、Ｙ、Ｋ、特１、特２等の各色の網点画像データをＢ、Ｒ、Ｇのレーザー強度の組み合わせに変換する。尚、カラーコレクションテーブルは、網点画像データの各色版とそれに対応する露光強度データとを関連付けたテーブルのことである。
【００５８】
尚、ＬＵＴ部２０５は、本発明の「出力強度記憶手段」に対応し、メモリ等の記憶手段により構成される。
【００５９】
また、制御部１００のＣＰＵ１０１は、センサ類１０６からの感光材料の先端位置の情報や図示省略のドラム位置を検出するロータリエンコーダからのパルス信号のカウントに基づいて、光学ユニットから射出されるレーザー光の照射位置に感光材料の画像記録領域が存在するか否かを判断する。そして、制御部１００は、その判断に基づきレーザー光の照射位置に感光材料の画像記録領域が存在する期間は、ＬＵＴ部２０５にレーザーダイオードのレーザー光源３２０、３２１、３２２を駆動するドライバＤ３２０、３２１、３２２に入力される露光強度データが常にレーザーダイオードを発光させるに足りるようにＬＵＴデータの設定制御を行う。これにより、レーザー光照射位置に感光材料の画像記録領域がある期間は、レーザー光源３２０、３２１、３２２のレーザーダイオードは常に発光し、良好な応答性になる。
【００６０】
尚、制御部１００、レーザー光源３２０〜３２２、ドライバＤ３２０〜３２２及びＤ／Ａ変換部２０６〜２０８は、本発明の「画像出力手段」を構成する。
【００６１】
このような制御の基、ドラムに保持される感光材料に対する基本色からなる各色の網点画像の出力が行われる。その結果、感光材料上には所定の網点画像が形成される。そして、この網点画像が形成された感光材料は、印刷物の仕上がりを事前に確認するカラープルーフとして使用される。
【００６２】
尚、上述したように、〔実施例１〕における画像出力システムにおいては、制御装置１の多値変換部１３が、２値化された特色版の網点画像データを、多階調を有する基本色からなる色版別の網点画像データに変換して、さらに、誤差拡散／二値変換部１５が、その多階調の色版別の網点画像データを、網点の領域内で誤差拡散法を用いて、２値の基本色からなる色版別の網点画像データに変換するので、当該ＤＣＰ作成装置２から出力される網点画像の網点においては、その領域内において出力される画素が省かれることはあっても、その周辺領域において新たに出力される画素が追加されるといったことはなく、その網点形状が崩れるといったことが防止されている。
【００６３】
また、上述したように、〔実施例２〕における画像出力システムにおいては、制御装置１の乱数割振部１９が、２値化された特色版の網点画像データを基本色からなる色版別の網点画像データに分版するに際して、個々の網点の領域内にある画素に対してのみ乱数データを割り振り、さらに、比較／二値変換部１７が、その乱数データと各色版に対応する閾値データとを比較することで、即ち、網点の領域内で閾値法を用いて、上述した２値化された特色版の網点画像データを２値の基本色からなる色版別の網点画像データに変換するので、当該ＤＣＰ作成装置２から出力される網点画像の網点においては、その領域内において出力される画素が省かれることはあっても、その周辺領域において新たに出力される画素が追加されるといったことはなく、その網点形状が崩れるといったことが防止されている。
【００６４】
［プログラム及びこれを記憶する記録媒体］
尚、当該画像出力システムを構成する上述した〔実施例１〕の制御装置１において行われる処理、具体的には、図３を参照しながら説明した多値変換ステップから誤差拡散／二値変換処理ステップまでの一連の画像出力処理を当該制御装置１のコンピュータにおいて実行させるためのプログラムは、当該制御装置１のコンピュータ本体に内蔵、若しくは、接続される記憶媒体に記憶されており、同じくコンピュータ本体に内蔵される演算手段によって、これが読み出されて実行されるものとする。
【００６５】
同じく、当該画像出力システムを構成する上述した〔実施例２〕の制御装置１ａにおいて行われる処理、具体的には、図１０を参照しながら説明した乱数割振ステップから二値変換処理ステップまでの一連の画像出力処理を当該制御装置１ａのコンピュータにおいて実行させるためのプログラムは、当該制御装置１ａのコンピュータ本体に内蔵、若しくは、接続される記憶媒体に記憶されており、同じくコンピュータ本体に内蔵される演算手段によって、これが読み出されて実行されるものとする。
【００６６】
尚、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【００６７】
尚、本実施形態における画像出力システム、制御装置、画像出力方法、その方法を実行させるためのプログラム、及び、そのプログラムを記憶した記憶媒体は、本発明の好適な一実施形態を例示したものであり、その他の実施形態を除外するものではない。
【００６８】
例えば、本実施形態においては、上述した〔実施例１〕において、制御装置１の多値変換部１３が、網点化部１２から出力される色版別の網点画像データの内、特色版の網点画像データについてのみ、上述した多値変換処理を施し、さらに、誤差拡散／二値変換部１５が上述した誤差拡散処理を施すことにしたが、この他にも、例えば多値変換部１３が網点化部１２から出力される全ての色版の網点画像データについて上述した多値変換処理を施し、さらに、誤差拡散／二値変換部１５がそれら全ての色版に対して上述した誤差拡散処理を施すことにしても良い。
【００６９】
同様に、本実施形態においては、上述した〔実施例２〕において、制御装置１ａの乱数割振部１９が、網点化部１２から出力される色版別の網点画像データの内、特色版の網点画像データについてのみ、上述した乱数割振り処理を施し、比較／二値変換部１７が上述した閾値法による二値変換処理を施すことにしたが、この他にも、例えば乱数割振部１９が網点化部１２から出力される全ての色版の網点画像データについて上述した乱数割振り処理を施し、比較／二値変換部１７がそれら全ての色版に対して上述した閾値法による二値変換処理を施すことにしても良い。
【００７０】
また、本実施形態においては、上述した〔実施例１〕において、制御装置１の誤差拡散／二値変換部１５が上述した誤差拡散処理を施す場合に、出力の無を規定する“０”の出力データが添付された画素の濃度数値データを、当該画素の上下左右方向に隣接する未比較画素に対して割り振ることとしたが、誤差拡散処理は、このような手法に限定されるものではなく、この他にも、例えば、斜め方向に隣接する画素にも濃度数値データを割り振る等、その割振り方向を変えてみたり、割り振る範囲を狭めてみたり、逆に広めてみたりしても良い。
【００７１】
また、本実施形態においては、上述した〔実施例１〕において、制御装置１とＤＣＰ作成装置２を各々別個の装置として設けることとしたが、同様に、上述した〔実施例２〕において、制御装置１ａとＤＣＰ作成装置２を各々別個の装置として設けることとしたが、これらを、例えば１つの装置（即ち、ＤＣＰ作成装置２に制御装置１、１ａを内蔵した形態）として構成することにしても良い。
【００７２】
また、前記実施例では、特色を色分解したときの基本色の構成割合を予めテーブルとして記憶するものであったが、この構成割合が特色データ中に含まれている場合にはそのデータから取得しても良い。
【図面の簡単な説明】
【００７３】
【図１】本発明に係る画像出力システムの一実施形態におけるシステム構成を表す構成図である。
【図２】図１に示す画像出力システムの制御装置における制御構成を表す機能ブロック図である。
【図３】図２に示す制御装置において行われる画像出力処理の一連の流れについて説明するためのフローチャートである。
【図４】（Ａ）〜（Ｃ）は、図２に示す制御装置の網点化部が、ラスター画像データを網点基準データに基づいて網点化する処理について説明するための説明図である。
【図５】図２に示す制御装置の多値変換部が、特色版の網点画像データ（２値データ）を基本色からなる各色版の網点画像データ（多値データ）に分版する処理について説明するための説明図である。
【図６】図２に示す制御装置の多値変換部に予め記憶されるデータベース（各特色を色分解した際の各基本色の構成割合を示したもの）のデータ構成を表す構成図である。
【図７】（Ａ）〜（Ｈ）は、図２に示す制御装置の誤差拡散／二値変換部が、特色版を分版した基本色からなる各色版の網点画像データ（多値データ）を２値データに変換する処理について説明するための説明図である。
【図８】特色版を分版した基本色からなる各色版の網点画像データ（２値データ）を出力した際の網点形状について説明するための説明図である。
【図９】図２に示す制御装置の他の実施例における制御構成を表す機能ブロック図である。
【図１０】図９に示す制御装置において行われる画像出力処理の一連の流れについて説明するためのフローチャートである。
【図１１】図９に示す制御装置の乱数割振部が、特色版の網点画像データ（２値データ）を分版した基本色からなる各色版の網点画像データに乱数を割り振る処理について説明するための説明図である。
【図１２】図９に示す制御装置の比較／二値変換部が、分版された基本色からなる各色版の網点画像データを二値の網点画像データに変換する処理について説明するための説明図である。
【図１３】図９に示す出力閾値記憶部１４に予め記憶されるデータベース（各特色を色分解した際の各基本色についての閾値データを示したもの）のデータ構成を表す構成図である。
【図１４】図１２に示す特色版を分版した基本色からなる各色版の網点画像データ（２値データ）を出力した際の網点形状について説明するための説明図である。
【図１５】図１に示す画像出力システムのＤＣＰ作成装置の外観を表す構成図である。
【図１６】図１５に示すＤＣＰ作成装置の制御構成を表すブロック図である。
【符号の説明】
【００７４】
１  制御装置
１０  画像データ解析加工部
１１  網点基準データ記憶部
１２  網点化部
１３  多値変換部
１４  出力閾値記憶部
１５  誤差拡散／二値変換部
１６  送信部
２  ＤＣＰ作成装置
３  画像データ編集端末
４  ＲＩＰ
【図１】
2006135567.tif 000003
【図２】
2006135567.tif 000004
【図３】
2006135567.tif 000005
【図４】
2006135567.tif 000006
【図５】
2006135567.tif 000007
【図６】
2006135567.tif 000008
【図７】
2006135567.tif 000009
【図８】
2006135567.tif 000010
【図９】
2006135567.tif 000011
【図１０】
2006135567.tif 000012
【図１１】
2006135567.tif 000013
【図１２】
2006135567.tif 000014
【図１３】
2006135567.tif 000015
【図１４】
2006135567.tif 000016
【図１５】
2006135567.tif 000017
【図１６】
2006135567.tif 000018